(57)【要約】【課題】情報記憶媒体に記憶されているコンテンツを別の情報記憶媒体にコピーする必要がなく、コンテンツをコピーするのに複数の記録再生装置を必要としない小型のプレーヤおよびそのコンテンツ再生方法を提供する。【解決手段】少なくとも１つのコア層と、コア層を挟むように配置された少なくとも２つのクラッド層と、コア層とクラッド層との境界或いはコア層内に設けられた少なくとも１つの回折格子層とから構成される情報記憶媒体２の回折格子層に記憶されているコンテンツを再生する機能を有し、情報記憶媒体に記２憶されているコンテンツをアクセスするドライブ部４と、記憶メモリ部５と、ドライブ部４及び記憶メモリ部５の駆動を制御すると共に情報記憶媒体２に記憶されているコンテンツの再生を制御するコントロール部６とを備えているプレーヤ３を構成した。【選択図】  図１
2004259347.tif 000002
【特許請求の範囲】
【請求項１】
少なくとも１つのコア層と、前記コア層を挟むように配置された少なくとも２つのクラッド層と、前記コア層とクラッド層との境界或いはコア層内に設けられた少なくとも１つの回折格子層とから構成される情報記憶媒体の前記回折格子層に記憶されているコンテンツを再生するプレーヤであって、
前記情報記憶媒体に記憶されているコンテンツをアクセスするドライブ部と、
記憶メモリ部と、
前記ドライブ部及び記憶メモリ部の駆動を制御すると共に前記情報記憶媒体に記憶されているコンテンツの再生を制御するコントロール部とを備えている
ことを特徴とするプレーヤ。
【請求項２】
前記ドライブ部は、少なくとも前記情報記憶媒体の回折格子層へ光を入射する光ヘッドと前記回折格子層から出射される光を検出する光検出器とを備えている
ことを特徴とする請求項１に記載のプレーヤ。
【請求項３】
前記ドライブ部は、該ドライブ部に装着された前記情報記憶媒体と前記光検出器との間に配置され且つ前記情報記憶媒体の回折格子層から出射する複数の再生光を分離する開口マスクを備えている
ことを特徴とする請求項２に記載のプレーヤ。
【請求項４】
前記ドライブ部は、該ドライブ部に装着された前記情報記憶媒体と前記光検出器との間に配置され且つ前記情報記憶媒体の回折格子層から出射する再生光の光路を変化させる光路制御器を備えている
ことを特徴とする請求項２に記載のプレーヤ。
【請求項５】
前記コントロール部は、
前記情報記憶媒体に記憶されている全てのコンテンツを前記記憶メモリ部に複写して記憶させる手段と、
前記記憶メモリ部に記憶されているコンテンツを再生する手段とを有する
ことを特徴とする請求項１に記載のプレーヤ。
【請求項６】
前記コントロール部は、
前記情報記憶媒体に記憶されている所定のコンテンツを前記記憶メモリ部に記憶させる手段と、
前記記憶メモリ部に記憶されているコンテンツを再生する手段とを有する
ことを特徴とする請求項１に記載のプレーヤ。
【請求項７】
ユーザが前記情報記憶媒体に記憶されているコンテンツの中から前記記憶メモリ部に記憶させるコンテンツを前記コントロール部に対して指定するコンテンツ指定手段を備えている
ことを特徴とする請求項６に記載のプレーヤ。
【請求項８】
前記コントロール部は、
再生対象となるコンテンツを指定する再生指定情報を前記記憶メモリ部に記憶させる手段と、
前記記憶メモリ部に記憶されている再生指定情報に基づいて前記ドライブ部に装着されている情報記憶媒体に記憶されているコンテンツを再生する手段とを有する
ことを特徴とする請求項１に記載のプレーヤ。
【請求項９】
ユーザが前記情報記憶媒体に記憶されているコンテンツの中から再生するコンテンツを前記コントロール部に対して指定するコンテンツ指定手段を備えている
ことを特徴とする請求項８に記載のプレーヤ。
【請求項１０】
情報記憶媒体に記憶されているコンテンツをアクセスするドライブ部と、記憶メモリ部と、前記ドライブ部及び記憶メモリ部の駆動を制御すると共に前記コンテンツの再生を制御するコントロール部とを備え、少なくとも１つのコア層と、前記コア層を挟むように配置された少なくとも２つのクラッド層と、前記コア層とクラッド層との境界或いはコア層内に設けられた少なくとも１つの回折格子層とから構成される情報記憶媒体の前記回折格子層に記憶されているコンテンツを再生するプレーヤにおいて前記コンテンツを再生する方法であって、
前記コントロール部は、前記情報記憶媒体に記憶されているコンテンツ或いはコンテンツを指定する情報のうちの少なくとも何れか一方を前記記録メモリ部に記録し、
前記コンテンツの再生時に、前記コントロール部は前記記録メモリ部に記録されている情報に基づいてコンテンツを再生する
ことを特徴とするコンテンツ再生方法。
【請求項１１】
前記コントロール部が、前記情報記憶媒体に記憶されている全てのコンテンツを前記記憶メモリ部に複写して記憶させた後に、前記記憶メモリ部に記憶されているコンテンツを再生する
ことを特徴とする請求項１０に記載のコンテンツ再生方法。
【請求項１２】
前記コントロール部が、前記情報記憶媒体に記憶されている所定のコンテンツを前記記憶メモリ部に記憶させた後に、前記記憶メモリ部に記憶されているコンテンツを再生する
ことを特徴とする請求項１０に記載のコンテンツ再生方法。
【請求項１３】
前記コントロール部が、ユーザによって入力されたコンテンツ指定情報を取得し、該コンテンツ指定情報に基づいて前記情報記憶媒体に記憶されているコンテンツの中の前記指定されたコンテンツを前記記憶メモリ部に記憶させる
ことを特徴とする請求項１０に記載のコンテンツ再生方法。
【請求項１４】
前記コントロール部が、ユーザによって入力された再生指定情報を取得し、該再生指定情報を前記記憶メモリ部に記憶させ、前記記憶メモリ部に記憶されている再生指定情報に基づいて前記ドライブ部に装着されている情報記憶媒体に記憶されているコンテンツを再生する
ことを特徴とする請求項１０に記載のコンテンツ再生方法。
【発明の詳細な説明】
【０００１】
【発明の属する技術分野】
本発明は、情報記憶媒体に記憶されているコンテンツを再生するプレーヤ及びそのコンテンツ再生方法に関するものである。
【０００２】
【従来の技術】
近年、デジタルデータ或いはアナログデータで表現された文章、音楽、画像、映像、データベース、またはそれらを組み合わせた情報の集合であるコンテンツを情報記憶媒体に記憶させておき、この情報記憶媒体からコンテンツを再生するプレーヤシステムが普及している。
【０００３】
ここでは、音楽コンテンツの記録再生を一例として従来技術を説明する。
【０００４】
従来のプレーヤシステムにおける情報記憶媒体およびプレーヤとしては以下に示すように、例えばＣＤ−ＲＯＭ媒体およびＣＤ用レコーダ／プレーヤ（ｈｔｔｐ：／／ｗｗｗ．ｓｏｎｙ．ｊｐ／ｐｒｏｄｕｃｔｓ／Ｍｏｄｅｌｓ／Ｃｏｎｓｕｍｅｒ／ＰＡ／ＰＣＤ．ｈｔｍｌ）、ＭＤ媒体およびＭＤ用レコーダ／プレーヤ（ｈｔｔｐ：／／ｗｗｗ．ｗａｌｋｍａｎ．ｓｏｎｙ．ｃｏ．ｊｐ／ｐｒｏｄ／ｍｄ／ｉｎｄｅｘ．ｈｔｍｌ）、ＳＤカード等フラッシュメモリおよびこれらを用いたＭＰ３レコーダ／プレーヤ（ｈｔｔｐ：／／ｐａｎａｓｏｎｉｃ．ｊｐ／ａｕｄｉｏ／ｐ＃ｇｅｎｅ／ｗｅｂ／ｐｏｒｔａｂｌｅ．ｈｔｍｌ）がある。
【０００５】
通常、音楽コンテンツはＣＤ−ＲＯＭ媒体によりエンドユーザに供給されている。このため、エンドユーザがアウトドアで音楽を再生する場合、ＣＤ用レコーダ／プレーヤは大型であるため持ち運びが不便であるという欠点があった。
【０００６】
これを解決するために、エンドユーザは、ＣＤ−ＲＯＭ媒体に記憶されているコンテンツを、直接あるいはパーソナルコンピュータ（以下、単にＰＣと称する）等を介してＭＤ媒体あるいはＳＤカード等のフラッシュメモリにコピーする手法をとっている。こうすることにより、ＭＤ用レコーダ／プレーヤあるいはＭＰ３レコーダ／プレーヤなど小型のプレーヤによるアウトドアでの音楽再生が可能となり、またエンドユーザの好みに合わせたコンテンツの編集（好きな音楽のみを再生、再生の順番変更、再生時間短縮、リピート再生など）も可能となる。
【０００７】
【非特許文献１】
ｈｔｔｐ：／／ｗｗｗ．ｓｏｎｙ．ｊｐ／ｐｒｏｄｕｃｔｓ／Ｍｏｄｅｌｓ／Ｃｏｎｓｕｍｅｒ／ＰＡ／ＰＣＤ．ｈｔｍｌ
【０００８】
【非特許文献２】
ｈｔｔｐ：／／ｗｗｗ．ｗａｌｋｍａｎ．ｓｏｎｙ．ｃｏ．ｊｐ／ｐｒｏｄ／ｍｄ／ｉｎｄｅｘ．ｈｔｍｌ
【０００９】
【非特許文献３】
ｈｔｔｐ：／／ｐａｎａｓｏｎｉｃ．ｊｐ／ａｕｄｉｏ／ｐ＃ｇｅｎｅ／ｗｅｂ／ｐｏｒｔａｂｌｅ．ｈｔｍｌ
【００１０】
【発明が解決しようとする課題】
しかしながら前述した手法を実現するには、別の情報記憶媒体へのコンテンツのコピーという作業が必要であり、この作業が面倒であること、及び、複数の記録再生装置やＰＣ等が必要となり、これらの購入に経費がかさむことなどの欠点があった。
【００１１】
また、上記のような利用法の普及が、コンテンツはコピーしていいものであるという考え方を正当化させており、これが音楽コンテンツの不正コピーを助長する結果にもなっていた。
【００１２】
本発明の目的は上記の問題点に鑑み、情報記憶媒体に記憶されているコンテンツを別の情報記憶媒体にコピーする必要がなく、コンテンツをコピーするのに複数の記録再生装置を必要としない小型のプレーヤおよびそのコンテンツ再生方法を提供することである。
【００１３】
【課題を解決するための手段】
本発明は上記の目的を達成するために、少なくとも１つのコア層と、前記コア層を挟むように配置された少なくとも２つのクラッド層と、前記コア層とクラッド層との境界或いはコア層内に設けられた少なくとも１つの回折格子層とから構成される情報記憶媒体の前記回折格子層に記憶されているコンテンツを再生するプレーヤであって、前記情報記憶媒体に記憶されているコンテンツをアクセスするドライブ部と、記憶メモリ部と、前記ドライブ部及び記憶メモリ部の駆動を制御すると共に前記情報記憶媒体に記憶されているコンテンツの再生を制御するコントロール部とを備えているプレーヤを提案する。
【００１４】
本発明のプレーヤによれば、前記コントロール部によって前記ドライブ部及び記憶メモリ部の駆動が制御されると共に前記情報記憶媒体に記憶されているコンテンツの再生が制御される。
【００１５】
また、本発明は、上記構成からなるプレーヤにおいて、前記ドライブ部は、少なくとも前記情報記憶媒体の回折格子層へ光を入射する光ヘッドと前記回折格子層から出射される光を検出する光検出器とを備えているプレーヤを提案する。
【００１６】
本発明のプレーヤによれば、前記光ヘッドから前記情報記憶媒体の回折格子層に光が入射され、該回折格子層から出射された光が前記光検出器によって検出されることにより、前記回折格子層に記憶されているコンテンツの読み出しが行われる。
【００１７】
また、本発明は、上記構成からなるプレーヤにおいて、前記ドライブ部は、該ドライブ部に装着された前記情報記憶媒体と前記光検出器との間に配置され且つ前記情報記憶媒体の回折格子層から出射する複数の再生光を分離する開口マスクを備えているプレーヤを提案する。
【００１８】
本発明のプレーヤによれば、前記開口マスクによって前記回折格子層から出射される光が分離されるため、多重情報の蓄積・再生が可能になるので、大容量の情報記憶媒体を用いることができる。
【００１９】
また、本発明は、上記構成からなるプレーヤにおいて、前記ドライブ部は、該ドライブ部に装着された前記情報記憶媒体と前記光検出器との間に配置され且つ前記情報記憶媒体の回折格子層から出射する再生光の光路を変化させる光路制御器を備えているプレーヤを提案する。
【００２０】
本発明のプレーヤによれば、前記光路制御器により前記回折格子層から出射される再生光の光路が変化されるため、前記情報記憶媒体からコンテンツを読み出す際、前記光検出器を移動させない、或いは、光検出器の移動距離を小さくできるので、コンテンツの読み出し時間を短縮でき、コンテンツ読み出しの高速化を図ることができる。
【００２１】
また、本発明は、上記構成からなるプレーヤにおいて、前記コントロール部は、前記情報記憶媒体に記憶されている全てのコンテンツを前記記憶メモリ部に複写して記憶させる手段と、前記記憶メモリ部に記憶されているコンテンツを再生する手段とを有するプレーヤを提案する。
【００２２】
本発明のプレーヤによれば、前記コントロール部によって前記情報記憶媒体に記憶されている全てのコンテンツが前記記憶メモリ部に複写されて記憶され、前記記憶メモリ部に記憶されているコンテンツが再生される。
【００２３】
また、本発明は、上記構成からなるプレーヤにおいて、前記コントロール部は、前記情報記憶媒体に記憶されている所定のコンテンツを前記記憶メモリ部に記憶させる手段と、前記記憶メモリ部に記憶されているコンテンツを再生する手段とを有するプレーヤを提案する。
【００２４】
本発明のプレーヤによれば、前記コントロール部によって前記情報記憶媒体に記憶されている所定のコンテンツが前記記憶メモリ部に記憶され、前記記憶メモリ部に記憶されているコンテンツを再生される。
【００２５】
また、本発明は、上記構成からなるプレーヤにおいて、ユーザが前記情報記憶媒体に記憶されているコンテンツの中から前記記憶メモリ部に記憶させるコンテンツを前記コントロール部に対して指定するコンテンツ指定手段を備えているプレーヤを提案する。
【００２６】
本発明のプレーヤによれば、ユーザが指定するコンテンツが前記コンテンツ指定手段を介して前記コントロール部に入力される。
【００２７】
また、本発明は、上記構成からなるプレーヤにおいて、前記コントロール部は、再生対象となるコンテンツを指定する再生指定情報を前記記憶メモリ部に記憶させる手段と、前記記憶メモリ部に記憶されている再生指定情報に基づいて前記ドライブ部に装着されている情報記憶媒体に記憶されているコンテンツを再生する手段とを有するプレーヤを提案する。
【００２８】
本発明のプレーヤによれば、前記コントロール部によって再生対象となるコンテンツを指定する再生指定情報が前記記憶メモリ部に記憶され、該再生指定情報に基づいて前記ドライブ部に装着されている情報記憶媒体に記憶されているコンテンツが再生される。これにより、前記再生指定情報を任意に設定することにより、再生させるコンテンツ等を選択可能になると共に、コンテンツ自体は前記情報記憶媒体に記憶されている状態で再生されるので、記憶メモリ部の容量を低減できる。
【００２９】
また、本発明は、上記構成からなるプレーヤにおいて、ユーザが前記情報記憶媒体に記憶されているコンテンツの中から再生するコンテンツを前記コントロール部に対して指定するコンテンツ指定手段を備えているプレーヤを提案する。
【００３０】
本発明のプレーヤによれば、前記コンテンツ指定手段を介してユーザが再生したいコンテンツを前記コントロール部に指定することができる。
【００３１】
また、本発明は、情報記憶媒体に記憶されているコンテンツをアクセスするドライブ部と、記憶メモリ部と、前記ドライブ部及び記憶メモリ部の駆動を制御すると共に前記コンテンツの再生を制御するコントロール部とを備え、少なくとも１つのコア層と、前記コア層を挟むように配置された少なくとも２つのクラッド層と、前記コア層とクラッド層との境界或いはコア層内に設けられた少なくとも１つの回折格子層とから構成される情報記憶媒体の前記回折格子層に記憶されているコンテンツを再生するプレーヤにおいて前記コンテンツを再生する方法であって、前記コントロール部は、前記情報記憶媒体に記憶されているコンテンツ或いはコンテンツを指定する情報のうちの少なくとも何れか一方を前記記録メモリ部に記録し、前記コンテンツの再生時に、前記コントロール部は前記記録メモリ部に記録されている情報に基づいてコンテンツを再生するコンテンツ再生方法を提案する。
【００３２】
本発明のコンテンツ再生方法によれば、前記コントロール部によって、前記情報記憶媒体に記憶されているコンテンツ或いはコンテンツを指定する情報のうちの少なくとも何れか一方が前記記録メモリ部に記録され、前記コンテンツの再生時に、前記コントロール部によって前記記録メモリ部に記録されている情報に基づいてコンテンツが再生される。
【００３３】
また、本発明は、上記構成からなるコンテンツ再生方法において、前記コントロール部が、前記情報記憶媒体に記憶されている全てのコンテンツを前記記憶メモリ部に複写して記憶させた後に、前記記憶メモリ部に記憶されているコンテンツを再生するコンテンツ再生方法を提案する。
【００３４】
本発明のコンテンツ再生方法によれば、前記コントロール部によって、前記情報記憶媒体に記憶されている全てのコンテンツが前記記憶メモリ部に複写して記憶された後に、前記記憶メモリ部に記憶されているコンテンツが再生される。
【００３５】
また、本発明は、上記構成からなるコンテンツ再生方法において、前記コントロール部が、前記情報記憶媒体に記憶されている所定のコンテンツを前記記憶メモリ部に記憶させた後に、前記記憶メモリ部に記憶されているコンテンツを再生するコンテンツ再生方法を提案する。
【００３６】
本発明のコンテンツ再生方法によれば、前記コントロール部によって、前記情報記憶媒体に記憶されている所定のコンテンツが前記記憶メモリ部に記憶された後に、前記記憶メモリ部に記憶されているコンテンツが再生される。
【００３７】
また、本発明は、上記構成からなるコンテンツ再生方法において、前記コントロール部が、ユーザによって入力されたコンテンツ指定情報を取得し、該コンテンツ指定情報に基づいて前記情報記憶媒体に記憶されているコンテンツの中の前記指定されたコンテンツを前記記憶メモリ部に記憶させるコンテンツ再生方法を提案する。
【００３８】
本発明のコンテンツ再生方法によれば、前記コントロール部により、ユーザによって入力されたコンテンツ指定情報が取得され、該コンテンツ指定情報に基づいて前記情報記憶媒体に記憶されているコンテンツの中の前記指定されたコンテンツが前記記憶メモリ部に記憶される。
【００３９】
また、本発明は、上記構成からなるコンテンツ再生方法において、前記コントロール部が、ユーザによって入力された再生指定情報を取得し、該再生指定情報を前記記憶メモリ部に記憶させ、前記記憶メモリ部に記憶されている再生指定情報に基づいて前記ドライブ部に装着されている情報記憶媒体に記憶されているコンテンツを再生するコンテンツ再生方法を提案する。
【００４０】
本発明のコンテンツ再生方法によれば、ユーザによって入力された再生指定情報が前記コントロール部によって取得され、前記コントロール部によって、前記取得した再生指定情報が前記記憶メモリ部に記憶され、前記記憶メモリ部に記憶されている再生指定情報に基づいて前記ドライブ部に装着されている情報記憶媒体に記憶されているコンテンツが再生される。
【００４１】
【発明の実施の形態】
以下、図面に基づいて本発明の一実施形態を説明する。
【００４２】
図１は本発明の一実施形態におけるプレーヤシステムを示す構成図である。図において、１はプレーヤシステムで、少なくとも情報記憶媒体２と、プレーヤ３とから構成され、プレーヤ３は、少なくともドライブ部４と、記録メモリ部５と、コントロール部６とから構成されている。
【００４３】
情報記憶媒体２は、デジタルデータ或いはアナログデータで表現された文章、音楽、画像、映像、データベース、またはそれらを組み合わせた情報の集合であるコンテンツが蓄積される機能を備えている。
【００４４】
本実施形態では、情報記憶媒体２として後述する積層ホログラムＲＯＭを用いているが、情報記憶媒体２として、再生専用型（ＲＯＭ）、追記型（ＷＯ）、書換型（ＲＷ）いずれを用いてもよい。
【００４５】
また、情報記憶媒体２は、揮発性、不揮発性いずれでも良いが、データ保持のための電源供給が不要となる点で不揮発性であることが有利である。詳細な実施例は後述する＜メモリの実施例＞及び＜積層ホログラムＲＯＭの実施例＞に示す。コンテンツの頒布を目的とする場合は、プレーヤ３に対して情報記憶媒体２を着脱可能にした媒体可換型で且つＲＯＭのものが安価という点で有利である。
【００４６】
ドライブ部４は、情報記憶媒体２に蓄積された情報を再生する機能を備えている。上記情報記憶媒体２に対応した各々のドライブが例として挙げられる。詳細な実施例は後述する＜メモリの実施例＞、＜積層ホログラムＲＯＭの実施例＞に示す。
【００４７】
記録メモリ部５は、情報を記録できる機能を備えている。記録メモリ部５としては、追記型（ＷＯ）、書換型（ＲＷ）のいずれであってもよい。また、記録メモリ部５は、揮発性、不揮発性のいずれであっても良いが、データ保持のための電源供給が不要となる点で不揮発性であることが有利である。また、記録メモリ部５は、上記と同様に媒体可換型でも媒体非可換型でも同様の効果を奏する。詳細な実施例は後述する＜メモリの実施例＞に示す。
【００４８】
コントロール部６は、周知のＣＰＵを主体として構成され、予め設定されているプログラムによって動作し、情報記憶媒体２、ドライブ部４、記録メモリ部５の各々あるいはこれら相互の情報コマンドのやり取りや、管理、制御、処理など、プレーヤシステム１がコンテンツの再生、或いはコンテンツの編集などを初めとする種々の動作を実現するためのコントロールを行う機能を備えている。また、コントロール部６は、必要に応じてコントロール内容を記録しておくメモリを備えている。尚、この機能を記録メモリ部５が兼ねてもよい。また、プレーヤシステム１の全構成要素のコントロール機能をコントロール部６に集中して持たせても良いし、１つあるいは複数の構成要素ごとに各々コントロール機能を持つ構成部を持たせても良い。
【００４９】
プレーヤシステム１を構成する構成要素としては、図示していないが上記以外に例えば以下に示す操作部や、表示部、音声出力部、映像出力部、電源部、インタフェース部、音声入力部が挙げられ、これらの構成要素の機能の一部、複数、一部の構成要素、複数の構成要素を持つことにより、各々の機能、構成要素に対応した効果が得られる。
【００５０】
上記操作部は、プレーヤシステム１を操作する機能を備えており、例えば、ボタンや、スイッチ類などが例として挙げられ、付帯する回路も構成要素に含まれる。操作部を備えることにより、他の操作装置を接続することなく、プレーヤシステム１を操作できるという効果を奏する。
【００５１】
上記表示部は、プレーヤシステム１の状態を表示する機能を備えている。例えば、ディスプレイなどが一例として挙げられ、付帯する回路も構成要素に含まれる。表示部を備えることにより、他の表示装置を接続することなく、プレーヤシステム１の状態を確認できるという効果を奏する。
【００５２】
上記音声出力部は、音声を出力する機能を備えている。例えば、スピーカ、イヤホンなどが一例として挙げられ、付帯する回路も構成要素に含まれる。音声出力部を備えることにより、他の音声出力装置を接続することなく、プレーヤシステム１から再生される音声を出力できるという効果を奏する。
【００５３】
上記映像出力部は、映像を出力する機能を備えている。例えば、ディスプレイなどが一例として挙げられ、付帯する回路も構成要素に含まれる。映像出力部を備えることにより、他の映像出力装置を接続することなく、プレーヤシステム１から再生される映像を出力できるという効果を奏する。
【００５４】
電源部は、プレーヤシステム１に電源を供給する機能を備えている。例えば、乾電池や、充電可能な２次電池、太陽電池、交流（ＡＣ）電源、車載直流（ＤＣ）電源などなどが一例として挙げられ、これらに付帯する回路も構成要素に含まれる。電源部を備えることにより、他の電源装置を接続することなく、プレーヤシステム１に電源を供給することができるという効果を奏する。
【００５５】
インタフェース（ＩＦ）部は、例えばＰＣや他の記録再生装置など外部装置との信号のやり取りや、音声、映像の入出力をする機能を備えている。例えば、ＵＳＢ（Ｕｎｉｖｅｒｓａｌ  Ｓｅｒｉａｌ  Ｂｕｓ）、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）、ＩＥＥＥ１３９４（ｉＬＩＮＫ，ＤＶ，Ｆｉｒｅ  Ｗｉｒｅ）、各種フラッシュメモリ（コンパクトフラッシュ（登録商標）、ＳＤ、メモリスティック、マルチディアカード、スマートメディア等）ＩＦ、マイクロＨＤＤドライブＩＦ、ＩＤＥ、ＳＣＳＩ、ＦＣ、ＲＳ２３２Ｃ等の各種デジタル信号インタフェース、各種アナログインタフェース、音声、映像の入出力端子等が一例として挙げられ、これに付帯する回路も構成要素に含まれる。
【００５６】
また、インタフェース部を備えることにより、プレーヤシステム１と他の装置との間の情報やコマンド等の信号のやり取り、或いは音声信号や映像信号の入出力ができるという効果を奏する。
【００５７】
音声入力部は、音声を入力する機能を備えている。例えば、マイク等が一例として挙げられ、これに付帯する回路も構成要素に含まれる。また、音声入力部があることにより、他の音声入力部を接続することなく、プレーヤシステム１に音声を入力できるという効果を奏する。尚、音声入力部を内蔵するか、外部接続するかにかかわらずマイク等による音声入力が可能な場合、コンテンツの編集時に音声でインデクスやコメント等を付けることができるという効果を奏する。
【００５８】
尚、本実施形態におけるプレーヤシステム１の各々の構成要素は１つあるいは複数であっても良く、何れにしても同様の効果を奏する。
【００５９】
＜メモリの実施例＞
情報記憶媒体２、ドライブ部４、記録メモリ部５の実施例として以下に示す再生専用型（ＲＯＭ（：Ｒｅａｄ  Ｏｎｌｙ  Ｍｅｍｏｒｙ））、追記型（ＷＯ（：Ｗｒｉｔｅ  Ｏｎｃｅ））、書換型（ＲＷ（：ＲｅＷｒｉｔａｂｌｅ））が挙げられる。
【００６０】
・再生専用型（ＲＯＭ（：Ｒｅａｄ  Ｏｎｌｙ  Ｍｅｍｏｒｙ））
ＣＤ−ＲＯＭ（Ｃｏｍｐａｃｔ  Ｄｉｓｋ  Ｒｅａｄ  Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｋ  Ｒｅａｄ  Ｏｎｌｙ  Ｍｅｍｏｒｙ）等の光メモリや、積層ホログラムＲＯＭ、マスクＲＯＭである。
【００６１】
・追記型（ＷＯ（：Ｗｒｉｔｅ  Ｏｎｃｅ））、書換型（ＲＷ（：ＲｅＷｒｉｔａｂｌｅ））
不揮発性のメモリとしては、ＣＤ−Ｒ（Ｃｏｍｐａｃｔ  Ｄｉｓｋ  Ｒｅｃｏｒｄａｂｌｅ）や、ＣＤ−ＲＷ（Ｃｏｍｐａｃｔ  Ｄｉｓｋ  ＲｅＷｒｉｔａｂｌｅ）、ＤＶＤ−Ｒ（Ｄｉｇｉｔａｌ  Ｖｅｒｓａｔｉｌｅ  Ｄｉｓｋ  Ｒｅｃｏｒｄａｂｌｅ）、ＤＶＤ−ＲＷ（Ｄｉｇｉｔａｌ  Ｖｅｒｓａｔｉｌｅ  Ｄｉｓｋ  ＲｅＷｒｉｔａｂｌｅ）、ＤＶＤ−ＲＡＭ、＋Ｒ，＋ＲＷ等の光メモリ、ホログラムメモリ、ＭＯ，ＭＤ等の光磁気メモリ、磁気テープ、ＦＤ，ＨＤＤなどの磁気メモリ、コンパクトフラッシュ（登録商標），ＳＤ，メモリスティック，マルチディアカード，スマートメディア等のフラッシュメモリ、各種ユーザプログラマブルＲＯＭ、磁性体の抵抗変化を利用したＭＲＡＭ（Ｍａｇｎｅｔｏｒｅｓｉｓｔｉｖｅ  Ｒａｎｄｏｍ  Ａｃｃｅｓｓ  Ｍｅｍｏｒｙ  ）、ＲＲＡＭ（Ｒｅｓｉｓｔａｎｃｅ  Ｒａｎｄｏｍ  Ａｃｃｅｓｓ  Ｍｅｍｏｒｙ）、強誘電体を利用したＦｅＲＡＭ（Ｆｅｒｒｏｅｌｅｃｔｒｉｃ  Ｒａｎｄｏｍ  Ａｃｃｅｓｓ  Ｍｅｍｏｒｙ）、相変化材料の抵抗変化を利用したＯＵＭ（Ｏｖｏｎｉｃ  Ｕｎｉｆｉｅｄ  Ｍｅｍｏｒｙ）などが挙げられる。
【００６２】
揮発性のメモリとしては、ＳＲＡＭ（Ｓｔａｔｉｃ  Ｒａｎｄｏｍ  Ａｃｃｅｓｓ  Ｍｅｍｏｒｙ）、ＤＲＡＭ（Ｄｙｎａｍｉｃ  Ｒａｎｄｏｍ  Ａｃｃｅｓｓ  Ｍｅｍｏｒｙ）などが挙げられる。
【００６３】
＜積層ホログラムＲＯＭの実施例＞
以下に情報記憶媒体２として積層ホログラムＲＯＭ媒体７を用い、ドライブ部４が積層ホログラムＲＯＭ用のドライブ１１である場合の一実施例を示す。
【００６４】
図２は積層ホログラムＲＯＭ媒体７の一実施例を示す断面図である。図２において、積層ホログラムＲＯＭ媒体７は、１つのコア層８と、前記コア層８を挟むように配置した２つのクラッド層９と、前記コア層８とクラッド層９との境界あるいはコア層８内に設けられた１つの回折格子層１０とから構成されている。
【００６５】
図３は積層ホログラムＲＯＭ媒体７の他の実施例を示す断面図である。図３において、積層ホログラムＲＯＭ媒体７は、複数のコア層８と、各コア層８を挟むように配置した複数のクラッド層９と、各コア層８毎にコア層８とクラッド層９との境界あるいはコア層８内に設けられた複数の回折格子層１０とから構成されている。
【００６６】
図２に示した積層ホログラムＲＯＭ媒体７よりも図３に示した積層ホログラムＲＯＭ媒体７の方が大容量化できる点で有利である。
【００６７】
図２及び図３に示した積層ホログラムＲＯＭ媒体７において、回折格子層１０には情報（コンテンツ）が記憶されており、コア層８に入射光１４を入射すると、積層ホログラムＲＯＭ媒体７の上面（および下面）に再生光１５が出射される。
【００６８】
コア層８への入射光の入れ方としては、積層ホログラムＲＯＭ媒体７の端面から入射させる方法、各コア層８に光結合部を設けて積層ホログラムＲＯＭ媒体７の上面あるいは下面から入射させる方法、各コア層８にミラー面を設けて積層ホログラムＲＯＭ媒体７の上面あるいは下面から入射させる方法が挙げられ、それぞれ同様の効果を奏する。但し、端面から入射させる方法は積層ホログラムＲＯＭ媒体７に光結合部やミラー面などを設ける必要がない点で有利である。
【００６９】
図４は積層ホログラムＲＯＭ媒体７に適用可能なドライブ部の構成を示す図である。図において、１１はドライブ部で、少なくとも光ヘッド１２と、光検出器１３とから構成されている。光ヘッド１２及び光検出器１３の数は、１つあるいは複数であっても良く、それぞれ同様の効果を奏する。
【００７０】
光ヘッド１２は、積層ホログラムＲＯＭ媒体７の所望のコア層８に入射光１４を入射する機能を備えている。例えば、光ヘッド１２は、入射光１４の発生源であるレーザ光源、入射光１４をコア層８に集光させる機能をもつ集光レンズ、入射光１４を所望のコア層８の位置に所定角度で入射させる機能を持つアクチュエータ等から構成される。
【００７１】
光検出器１３は、積層ホログラムＲＯＭ媒体７から出射した再生光１５を検出する機能を備えており、必要に応じて移動機構を有する。例えば、光検出器１３は、ＣＣＤ（Ｃｈａｒｇｅ  Ｃｏｕｐｌｅｄ  Ｄｉｏｄｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の二次元光検出器、ラインセンサ等の一次元光検出器、フォトダイオード等が一例として挙げられる。再生光１５は二次元データとして積層ホログラムＲＯＭ媒体７から出射されるため、一次元光検出器、さらに二次元光検出器ではこれをより短時間で検出できるという効果を奏する。
【００７２】
積層ホログラムＲＯＭ用ドライブ１１の他の構成要素としては、例えば以下に示す開口マスクや光路制御器が挙げられる。
【００７３】
開口マスクは、積層ホログラムＲＯＭ媒体７と光検出器１３との間に配置され、各々のコア層８に多重に情報を記憶した場合、各コア層８から出射する複数の再生光１５を分離再生する機能を備えている。これにより、多重に情報の蓄積及び再生が可能となるため、大容量化が図れるという効果を奏する。例えば、開口マスクは、液晶素子から成り、電気的に開口位置を変化させるもの、開口位置を固定したマスクを移動させるものなどが挙げられる。ここで、前者すなわち電気的に開口位置を変化させるものは機械的駆動が不要となり、機械的故障等の発生を低減できるため有利である。
【００７４】
光路制御器は、積層ホログラムＲＯＭ媒体７と光検出器１３との間に配置され、再生光１５の出射光路を変化制御する機能を備えている。光路制御器の一例としては、例えば、レンズやプリズムなどが挙げられ、それぞれ同様の効果を奏する。また、例えば再生光１５を集光させることにより、光検出器１３として小型の安価なものが使えること、光検出器１３の移動距離を小さくでき高速化できること等の効果を奏する。
【００７５】
次に、積層ホログラムＲＯＭ媒体７からコンテンツを読み出すときの動作を説明する。
【００７６】
積層ホログラムＲＯＭ媒体７からコンテンツを読み出すとき、光ヘッド１２により積層ホログラムＲＯＭ媒体７の所望のコア層８に入射光１４を入射させると、再生光１５が例えば積層ホログラムＲＯＭ媒体７の上面に出射する。これを光検出器１３で検出すると積層ホログラムＲＯＭ媒体７に蓄積された情報（コンテンツ）を再生することができる。
【００７７】
積層ホログラムＲＯＭ媒体７は上記のように小型大容量化でき、また積層ホログラムＲＯＭ用ドライブ１１の構成や構造が単純なため小型化することができる。よって、これらを記憶媒体２と、ドライブ部４に用いることにより、プレーヤシステム１を小型できると共に大容量化を図ることができるという効果を奏し、他の記憶媒体やドライブ部を用いた場合に比べて特に有利である。
【００７８】
＜コンテンツ再生方法の実施例＞
プレーヤシステム１を用いたコンテンツ再生方法の一実施例を以下に説明する。本実施例では、情報記憶媒体２として積層ホログラムＲＯＭ媒体７を用いると共に、ドライブ部４として積層ホログラムＲＯＭ用ドライブ１１を用い、また記録メモリ部５として前述したいずれかのフラッシュメモリを使用した場合を一例として説明する。
【００７９】
この場合、上述のように情報記憶媒体２およびプレーヤ３は小型化されている。また、情報記憶媒体２には例えば音楽コンテンツが蓄積されているものとする。
【００８０】
情報記憶媒体２をドライブ部４にローディングして再生することにより、別の情報記憶媒体に音楽コンテンツをコピーすることなく、持運びに便利な小型のプレーヤでの音楽コンテンツ再生を実現することができる。
【００８１】
次に、情報記憶媒体２に蓄積されたコンテンツを編集する動作及び再生する動作を説明する。ここで、編集とは、例えば、好きな音楽のみを選択することや、再生の順番を変更すること、再生時間を短縮するように設定すること、リピート再生できるように設定することなどを言う。
【００８２】
コンテンツを編集する動作及び再生する動作としては、以下の３つが挙げられる。
【００８３】
（１）情報記憶媒体２に蓄積されているコンテンツをコントロール部６によって編集し、記録メモリ部５には編集後のコンテンツとして記録（コピー）する。さらに、再生時には記録メモリ部５に記録されているコンテンツを再生する。
【００８４】
（２）情報記憶媒体２に蓄積されたコンテンツを記録メモリ部５にそのまま記録（コピー）する。さらに、再生時には記録メモリ部５からコンテンツを、コントロール部６の編集機能によって編集し、編集されたコンテンツを再生する。
【００８５】
（３）情報記憶媒体２に蓄積されているコンテンツはそのままで、記録メモリ部５にはコントロール部６によって編集コマンドのみを記録する。さらに、再生時には記録メモリ部５の編集コマンドに従ってコントロール部６が情報記憶媒体２からコンテンツを読み出し、これを編集し、編集されたコンテンツを再生する。
【００８６】
上記（１）、（２）、（３）のいずれか１つあるいは複数の方法を併用してコンテンツを再生する方法が挙げられ、それぞれ同様の効果を要する。上記（１）、（２）の方法では異なる複数の情報記憶媒体２のコンテンツを記録メモリ部５に蓄積できるという利点がある。また、（３）の方法を用いた場合、コピーする時間を要さない及び記録メモリ部５の記録容量が小さくてよいという利点がある。
【００８７】
尚、記録メモリ部５がコントロール部６のメモリを兼用してもよい。いずれも持ち運びに便利な小型のプレーヤで再生或いは編集再生することができるという効果を奏する。さらに、コンテンツをコピーするのに複数の記録再生装置を必要としないという効果を奏する。なお、上記コンテンツの編集は上記のようにプレーヤシステム１において実施してもよいし、或いはＰＣ等の他の装置を介して実施することもできる。
【００８８】
また、情報記憶媒体２として積層ホログラムＲＯＭ媒体７を用いた場合、積層ホログラムＲＯＭ媒体７のメモリ領域はブロック単位で構成されており、ブロック単位でデータを取り扱うことができる。例えば、積層ホログラムＲＯＭ媒体７の各層に蓄積されたデータを１つあるいは複数のブロックとする。コンテンツが音楽データの場合を例に挙げると、例えば、各ブロックが音楽コンテンツの１曲に対応するよう設定することができる。
【００８９】
上記のようなブロック単位のメモリ領域とすることにより、各コンテンツの先頭の位置や末尾の位置などを物理的及び論理的に明確化できるため、巻戻しや、逆再生、リピート、スキップなどを実行する場合、アクセス速度を高速化できるという利点がある。
【００９０】
情報記憶媒体２として積層ホログラムＲＯＭ媒体７を用いると共にドライブ部４として積層ホログラムＲＯＭ媒体７に対応したドライブ部１１とした場合には、記録メモリ部５に使用するメモリも、ブロック単位でメモリ領域を構成できるものが望ましい。
【００９１】
こうすることにより、上記（１）、（２）、（３）のいずれの場合も、巻戻しや、逆再生、リピート、スキップなどを実行する場合のアクセス速度を高速化することができるという効果を奏する。
【００９２】
これに対して、従来のコンテンツ頒布に用いられている情報記憶媒体であるＣＤ−ＲＯＭやＤＶＤ−ＲＯＭは、ディスクの円周方向にリニアにコンテンツの再生を行い、セクタ単位をメモリ領域とする情報記憶媒体であるため、上記のように各コンテンツの先頭の位置や末尾の位置などが物理的及び論理的に明確化されず、毎回各セクタを読みに行く必要がある。従って、巻戻しや、逆再生、リピート、スキップなどを実行する場合、アクセスに時間がかかるという欠点がある。
【００９３】
次に、前述したプレーヤ３の概観の具体的な一実施例としての構成を図５乃至図８を参照して説明する。
【００９４】
情報記憶媒体２及びそのドライブ部４と記録メモリ部５の配置関係について、例えば、図５乃至図８に示すものが考えられる。
【００９５】
ここでは、情報記憶媒体２として前述した積層ホログラムＲＯＭ媒体７を用いると共にドライブ部４として積層ホログラムＲＯＭ媒体７に対応したドライブ部１１を用いている。尚、各図において、音声出力端子２２は、音声出力部（図示せず）の一部であり、例えば、イヤホン端子等である。
【００９６】
図５に示すプレーヤ３Ａは、記憶媒体２及びそのドライブ部４が直方体形状をなす筐体２１の左側面に配置され、記録メモリ部５が筐体２１の右側面に配置されたものであり、筐体２１には音声出力端子２２と、表示部２３、操作部２４が設けられている。
【００９７】
図６に示すプレーヤ３Ｂは、記憶媒体２及びそのドライブ部４が筐体２１の上側面に設けられていると共に、記録メモリ部５が筐体２１の下側面に配置されたものであり、筐体２１には音声出力端子２２と、表示部２３、操作部２４が設けられている。
【００９８】
図７に示すプレーヤ３Ｃは、記憶媒体２及びそのドライブ部４と、記録メモリ部５が、ともに筐体２１の左側面あるいは右側面に配置されたものであり、筐体２１には音声出力端子２２と、表示部２３、操作部２４が設けられている。
【００９９】
図８に示すプレーヤ３Ｄは、記憶媒体２及びそのドライブ部４と、記録メモリ部５が、ともに筐体の上側面あるいは下側面に配置されたものであり、筐体２１には音声出力端子２２と、表示部２３、操作部２４が設けられている。
【０１００】
尚、情報記憶媒体２及びそのドライブ部４と記録メモリ部５の位置は、入れ替わってもかまわない。また、情報記憶媒体２及びそのドライブ部４と記録メモリ部５の位置は、各側面において、筐体２１の厚さ方向の上下に配置しても、左右に配置しても、斜め上下に配置しても、斜め左右に配置してもかまわない。
【０１０１】
さらに、上記図５乃至図８に示した実施例では、記録メモリ部５として、媒体可換型すなわち記録メモリ部５が筐体２１に対して着脱可能なものを想定して図示しているが、これらを媒体非可換型に置換してもかまわない。
【０１０２】
また、記録メモリ部５が媒体非可換型の場合、記録メモリ部５筐体２１からを取り出す必要がないため、上記のように必ずしも筐体２１の側面に配置されなくてもかまわない。
【０１０３】
また、音声出力端子２２、表示部２３、操作部２４などは、適宜筐体２１の表面、側面、裏面に配置される。
【０１０４】
【発明の効果】
以上説明したように本発明によれば、情報記憶媒体に記憶されているコンテンツを別の情報記憶媒体にコピーする必要がないと共に、持ち運びに便利な小型のプレーヤでコンテンツを再生する或いは編集して再生することができる。さらに、コンテンツをコピーするのに複数の記録再生装置を必要としないという非常に優れた効果を奏するものである。
【図面の簡単な説明】
【図１】本発明の一実施形態におけるプレーヤシステムを示す構成図
【図２】本発明の一実施形態における積層ホログラムＲＯＭ媒体の一実施例を示す断面図
【図３】本発明の一実施形態における積層ホログラムＲＯＭ媒体の他の実施例を示す断面図
【図４】本発明の一実施形態における積層ホログラムＲＯＭ媒体に適用可能なドライブ部の構成を示す図
【図５】本発明の一実施形態におけるプレーヤの概観の具体的な一実施例を示す構成図
【図６】本発明の一実施形態におけるプレーヤの概観の具体的な一実施例を示す構成図
【図７】本発明の一実施形態におけるプレーヤの概観の具体的な一実施例を示す構成図
【図８】本発明の一実施形態におけるプレーヤの概観の具体的な一実施例を示す構成図
【符号の説明】
１…プレーヤシステム、２…情報記憶媒体、３，３Ａ，３Ｂ，３Ｃ，３Ｄ…プレーヤ、４…ドライブ部、５…記録メモリ部、６…コントロール部、７…積層ホログラムＲＯＭ媒体、８…コア層、９…クラッド層、１０…回折格子層、１１…積層ホログラムＲＯＭ用ドライブ、１２…光ヘッド、１３…光検出器、１４…入射光、１５…再生光、２１…筐体、２２…音声出力端子、２３…表示部、２４…操作部。
【図１】
2004259347.tif 000003
【図２】
2004259347.tif 000004
【図３】
2004259347.tif 000005
【図４】
2004259347.tif 000006
【図５】
2004259347.tif 000007
【図６】
2004259347.tif 000008
【図７】
2004259347.tif 000009
【図８】
2004259347.tif 000010